(57)【要約】【課題】ファスナーを閉める際、誤ってスライダーに生地を巻き込んでしまうと容易に外せない。  また、スライダーのみを外すことは容易ではないので個人でスライダーを交換することは困難である。  本発明は生地を巻き込んでも他の道具なしで簡単に外せ、交換も簡単なスライダーを提供する。【解決手段】胴体を分離し、支柱の上端に鍵状のフックを設け、このフックを上側胴体に差し込み、固定することで組み立てて完成させる構造にすることで、必要な時に胴体を再び分離して噛んだ生地を他の道具なしで簡単に外すことができ、スライダー自体を務歯から着脱することができる事を特徴とするファスナースライダー。【選択図】図１
2013162995.tif 000002
【特許請求の範囲】
【請求項１】
胴体上部と胴体下部からなるファスナースライダーであり、胴体上部は一定の空間を置いて平行に向かい合う胴体上部天板と胴体上部固定盤において、縁に沿って両者を結合して、全周囲を外周する胴体上部側壁が形成され、その内部に回転ロック部が設置され、胴体上部天板にはノブ軸穴が設けられており、胴体上部固定盤には支柱固定部が設けてあり、支柱固定部のほぼ中央にフック通し口が設けてあり、胴体上部固定盤の四方のうち、向かい合う左右にのみ浅い胴体上部レールが形成され、胴体下部に向かって突き出しており、回転ロック部はノブ取付盤とフック受入盤が一定の間隔を置いて平行に向かい合う形で設置され、両者は閉まり過ぎストッパー軸と開きストッパー軸の二つの軸によって一体的に結合され、フック受入盤の中央にはフック差込口が設けられ、ノブ取付盤の中央にはフック受入盤から見て外側にノブ軸を取り付けられ、このノブ軸は胴体上部天板のノブ軸穴から突き出る形で形成され、突き出たノブ軸からほぼ直角的な一方向にノブが伸びて形成され、胴体下部は、胴体下部底板の四方のうち、向かい合う左右にのみ浅い胴体下部レールが形成され、胴体下部底板の内側の面に支柱を設け、支柱の底板側と反対側の面にフック軸が立ち、フック軸から軸にほぼ直角的にフックが形成されており、このフック軸とフックは胴体上部の支柱固定部のフック通し口をくぐり、フック受入盤のフック差込口を突き出て、ノブ取付盤を挟んでノブ軸と照応的に接地するように形成され、全体として、このように形成された胴体上部と胴体下部とが組み合わされて、回転ロック部がノブによって開閉されることにより、必要な時にファスナースライダーが分割されることを特徴とする分割式ファスナースライダー。
【発明の詳細な説明】
【技術分野】
【０００１】  本発明は分割式ファスナースライダーに関するものである。
【背景技術】
【０００２】  従来、ファスナーのスライダーに衣服の生地を巻き込んだ時は指で生地を左右に開きながら慎重にスライダーを下ろすなどのやり方で四苦八苦するほかなかったが、実際にはうまく生地を外せなかったり、生地を傷めたりするなどの不都合があった。
また、スライダーだけを交換するには相当な手間がかかり、技術を持っていない人はファスナーごと交換に出す必要があった。
なお、支柱部分に裏側からねじを通して固定する分割式のスライダーが知られているが、これはファスナーを衣服に縫い付ける際の不便を解消することを目的としたもので必要な時にいつでも簡単に外すことを目的とはしていない（特許文献１参照）。
【先行技術文献】
【特許文献】
【０００３】
【特許文献１】特許公開平７−１００００７号公報
【発明の概要】
【発明が解決しようとする課題】
【０００４】  ファスナーを閉める際、誤ってスライダーに衣服の生地を巻き込んでしまうと容易に外せない。無理に外そうとして生地を破いたり、スライダー自体を破損したりしがちである。
また、スライダーのみを交換したい場合にも、これは容易でない。
本発明は以上の問題を他の道具なしで解決するためのものである。
【課題を解決するための手段】
【０００５】  胴体上部と胴体下部からなるファスナースライダーである。
胴体上部は一定の空間を置いて平行に向かい合う胴体上部天板と胴体上部固定盤において、縁に沿って両者を結合して、全周囲を外周する胴体上部側壁が形成され、その内部に回転ロック部が設置される。胴体上部天板にはノブ軸穴が設けられている。胴体上部固定盤には支柱固定部が設けてあり、支柱固定部のほぼ中央にフック通し口が設けてある。胴体上部固定盤の四方のうち、向かい合う左右にのみ浅い側壁の胴体上部レールが形成され、胴体下部に向かって突き出している。
回転ロック部はノブ取付盤とフック受入盤が一定の間隔を置いて平行に向かい合う形で設置され、両者は閉まり過ぎストッパー軸と開き過ぎストッパー軸の二つの軸によって一体的に結合され、フック受入盤の中央にはフック差込口が設けられ、ノブ取付盤の中央にはフック受入盤から見て外側にノブ軸を取り付ける。このノブ軸は胴体上部天板のノブ軸穴から突き出る形で形成され、突き出たノブ軸からほぼ直角的な一方向にノブが伸びて形成される。
胴体下部は、胴体下部底板の四方のうち、向かい合う左右にのみ浅い側壁の胴体下部レールが形成され、胴体下部底板の内側の面に支柱を設け、支柱の底板側と反対側の面にフック軸が立ち上がり、フック軸から軸にほぼ直角的にフックが形成されている。このフック軸とフックは胴体上部の支柱固定部のフック通し口をくぐり、フック受入盤のフック差込口を突き出て、ノブ取付盤を挟んでノブ軸と照応的に接地するように形成される。
全体として、このように形成された胴体上部と胴体下部とが組み合わされて、回転ロック部がノブによって開閉されることにより、必要な時にファスナースライダーが分割される。
以上を特徴とする分割式ファスナースライダーである。
【発明の効果】
【０００６】  ファスナーを閉める際に生地を巻き込んでも道具なしで簡単に外せる。
スライダーのみを道具なしで簡単に交換できるため、気に入ったデザインのスライダーを見つけたら自分で取り換える事ができる。
【図面の簡単な説明】
【０００７】
【図１】本発明の一部である胴体上部を透明にして内部構造を可視化した斜視図
【図２】本発明の一部である胴体下部の斜視図
【図３】本発明の一部である胴体上部固定盤の斜視図
【図４】本発明の一部である回転ロック部の斜視図
【図５】本発明のノブを閉める前の状態を示す正面から見た断面図
【図６】本発明のノブを閉めた後の状態を示す側面から見た断面図
【発明を実施するための形態】
【０００８】  以下、本発明の実施の形態を説明する。
（イ）胴体上部（１）の天板（６）に空けたノブ軸穴（７）から回転ロック部（３）に連結されたノブ軸（５）が貫通していてノブ（４）を表に出し、胴体上部固定盤（９）に支柱固定部（１０）を設ける。支柱固定部（１０）のほぼ中央にフック通し口（１１）を空ける。胴体上部天板（６）と胴体上部固定盤（９）は一定の間隔を置いて平行に向かい合っており、縁に沿って両者を結合し、全周囲を外周する胴体上部側壁（８）が設けられている。胴体上部固定盤（９）の四方のうち、向かい合う左右にのみ浅い胴体上部レール（１２）が形成され、胴体下部（２）に向かって突き出している。
（ロ）胴体下部（２）に設置された支柱（２０）の上端に鍵状のフック（２１）とフック軸（２２）を設ける。胴体下部底板（１８）の四方のうち、向かい合う左右にのみ浅い胴体下部レール（１９）を設ける。
（ハ）回転ロック部（３）は胴体上部天板（６）と胴体上部固定盤（９）の間に設置する。ノブ（４）とともに回転するノブ軸（５）がノブ取付盤（１３）に取り付けられており、フック受入盤（１４）にフック差込口（１７）を空け、フック（２１）の動きを制限するための閉まり過ぎストッパー（１５）と開き過ぎストッパー（１６）を設ける。
本発明は以上のような構造である。
本発明を使用するときは図１のようにノブを反時計回りに回して回転ロック部（３）を回転させ、フック（２１）が開き過ぎストッパー（１６）に当たって止まるまで回し、フック差込口（１７）をフック（２１）に合わせる。そのままノブ軸（５）をつまんで引き上げれば胴体上部（１）と胴体下部（２）が分離する。
再び組み立てる時はこの逆手順を行う。つまり、ノブを開き切った状態で胴体上部（１）と胴体下部（２）を合わせ、フック（２１）をフック差込口（１７）に差し込み、ノブ（４）を時計回りに回し、フック（２１）が閉まり過ぎストッパー（１５）に当たって止まるまで回転ロック（３）を回転させる。
すべての動作を道具なしで行える点が特許文献１とは根本的に異なる。
【符号の説明】
【０００９】  １  胴体上部、２  胴体下部、３  回転ロック部、４  ノブ、５  ノブ軸、６  胴体上部天板、７  ノブ軸穴、８  胴体上部側壁、９  胴体上部固定盤、１０  支柱固定部、１１  フック通し口、１２  胴体上部レール、１３  ノブ取付盤、１４  フック受入盤、１５  閉まり過ぎストッパー軸、１６  開き過ぎストッパー軸、１７  フック差込口、１８  胴体下部底板、１９  胴体下部レール、２０  支柱、２１  フック、２２  フック軸
【図１】
2013162995.tif 000003
【図２】
2013162995.tif 000004
【図３】
2013162995.tif 000005
【図４】
2013162995.tif 000006
【図５】
2013162995.tif 000007
【図６】
2013162995.tif 000008